(57)【要約】【課題】  扉およびピボットヒンジの大きさを変えずに簡便に通気性を与える。【解決手段】  一対の縦枠３、４およびこの一対の縦枠３、４の上部に設けられる上枠７で形成される三方枠と、この三方枠の開口部に設けられる扉１４と、この扉１４を三方枠の上部と床５９との間に開閉可能に取り付けられる下側ピボットヒンジ２１および上側ピボットヒンジ３５とを備え、扉の下木口１５に固定するピボットヒンジの扉下側ユニット２２と扉の下木口１５との間にスペーサ５４を挟むとともに、縦枠３、４の長さをスペーサの厚みｔに相当する寸法分だけ長く形成し、扉の下端と床見切り５７との間に通気のための隙間６１を設ける。【選択図】              図１
2005139626.tif 000002
【特許請求の範囲】
【請求項１】
一対の縦枠および該一対の縦枠の上部に設けられる上枠で形成される三方枠と、該三方枠の開口部に設けられる扉と、該扉を前記三方枠の上部と床との間に開閉可能に取り付けるピン支承手段とを備え、前記扉の下木口に固定する前記ピン支承手段の扉下側ユニットと前記扉の下木口との間にスペーサを挟むことにより、前記扉の下端と前記床との間に通気のための隙間を設けてなる扉装置。
【発明の詳細な説明】
【技術分野】
【０００１】
本発明は、ピボットヒンジなどのピン支承手段により回転可能に支持される扉を有する扉装置に係り、特に扉の下に通気のための隙間を設ける扉装置に関するものである。
【背景技術】
【０００２】
従来の扉装置としては、たとえば扉枠の所定個所に丁番を固定し、この丁番に扉を開閉可能に取り付けるものが知られている（特許文献１）。扉の下の床には床見切り（沓ずり）が設けられる。床見切りは、戸当りを兼ねている。
【特許文献１】特開平９−３１７３３０号公報
【発明の開示】
【発明が解決しようとする課題】
【０００３】
上記扉装置において、扉が閉められているときには扉は扉枠および床見切りに当接しているので、扉が仕切る一方の側の空間と他方の側の空間との間では通気がほとんど無いと云って良い。この扉に通気性を付与させる場合、扉の高さを変えないとすれば、扉を支える扉枠の縦枠を長くすることにより、扉の下端と床との間の距離を大きくし、通気のための隙間を設ける。
【０００４】
ところで、建具の通気性に関しては、この建具を全般換気の換気経路として意図した場合、建具には１００〜１５０ｃｍ２の有効開口面積を設ける必要があることが示されている（「木造住宅のシックハウス対策マニュアル」１４６頁、平成１５年５月１日第１版第１刷発行、工学図書株式会社発行）。上記有効開口面積を先の扉装置において確保するには、扉の周囲に多少の隙間があるので、追加的に必要な開口面積として扉の下端と床見切りとの間に高さ１０ｍｍ程度の隙間を設ければ良いと考えられる。
【０００５】
しかしながら、ピボットヒンジにより支持される扉の場合、扉の高さを変えないで、先の丁番支持の場合と同じように縦枠の長さを大きくすれば、扉の上端と扉枠の上枠との間に隙間が発生し、扉と扉枠とが寸法的に合わない状態となる。扉と扉枠とを適合させるためにはピボットヒンジの下側部品の高さを大きくしなければならないので、大きさの異なる新たなピボットヒンジが必要になる。
【０００６】
本発明の課題は、扉およびピン支承手段の大きさを変えずに簡便に通気性を与えることができることである。
【課題を解決するための手段】
【０００７】
上記課題を解決するため、本発明は、一対の縦枠および該一対の縦枠の上部に設けられる上枠で形成される三方枠と、該三方枠の開口部に設けられる扉と、該扉を前記三方枠の上部と床との間に開閉可能に取り付けるピン支承手段とを備え、前記扉の下木口に固定する前記ピン支承手段の扉下側ユニットと前記扉の下木口との間にスペーサを挟むことにより、前記扉の下端と前記床との間に通気のための隙間を設けてなることを特徴とする。
【０００８】
このようにすることにより、扉の大きさまたは高さを変えないとすれば、この扉装置に通気性を付与するようにするには、ピン支承手段の扉下側ユニットと扉の下木口との間にスペーサを挟むことにより、扉をこの三方枠と床との間にピン支承手段を利用して取り付けたときに、扉がスペーサの厚み寸法分だけ上方に上がり高くなるので、扉の下端と床との間にスペーサの厚み寸法分だけ大きくなった通気のための隙間を設けることができる。したがって、扉およびピン支承手段の大きさを変えずに簡便に通気性を与えることができ、扉装置の用途を広げることができる。
【０００９】
次に本発明を構成する各要件についてさらに詳しく説明する。本発明を適用できる扉装置は、扉を三方枠の上部と床との間にピン支承手段を使用して取り付けるものである。ピン支承手段は、扉を水平面内で回転可能に支持するもので、たとえばピボットヒンジがこれに相当し、ピボットヒンジは一般的には扉を三方枠の上枠と床との間で水平面内で回転可能に支持し扉を開閉する。ピン支承手段の内、上側のピン支承手段は扉が転倒しないように保つ機能と、水平面内で扉を回転可能なように軸支する機能とを有する。下側のピン支承手段は扉の重量を支える機能と、水平面内で回転可能なように軸支する機能とを有する。
【００１０】
スペーサの厚み寸法の決め方は、扉の下端と床見切り（または沓ずり）との間の距離が少なくとも１０ｍｍ以上となるようになされ、扉装置全体としては扉と三方枠との間の隙間の通気面積を含めて１００〜１５０ｃｍ２の有効開口面積が形成されるようにする。
【００１１】
この場合、先のスペーサを挟まない状態において、扉の上端と三方枠の上枠の下面との間に距離があり、かつ上枠に取り付けられた戸当りの下面と上枠の下面との寸法がスペーサの厚み寸法に比べ大きく形成されている場合には、スペーサを挟んで扉の高さを高くしても、扉の上部角は常に戸当りに接触し、かつ扉の上端は上枠の下面に当ることがないので縦枠の長さを変えないで対応できる。
【００１２】
反対に、上記スペーサを挟まない状態において、扉の上端と上枠の下面との間に距離がない場合には、スペーサを挟んで扉の高さを高くすると、扉の上端が上枠の下面に当るので、三方枠の縦枠の長さをスペーサの厚みに相当の寸法分だけ長くする。
【００１３】
扉および扉枠の材質は、特に限定されないが、たとえば木質系で、その表面に化粧材を設けたものでも良い。木質系の材質としては、たとえば合板、木質繊維板（ＭＤＦなど）、木削片板、単板積層板などである。また、スチロール、塩化ビニル、強化プラスチック、発泡スチロール、発泡ウレタンなどの合成樹脂系、あるいは木質系と合成樹脂系との複合材などでも使用できる。
【００１４】
床は、木質材、無機質材など材料には限定されないが、特に木質系床材の場合には床側部材の固定を木ねじ、釘などで固定することができる。
【発明の効果】
【００１５】
本発明によれば、扉およびピン支承手段の大きさを変えずに簡便に通気性を与えることができ、扉装置の用途を広げることができる。
【発明を実施するための最良の形態】
【００１６】
以下、本発明に係る扉装置の実施例を図面に基づいて詳細に説明する。なお、図１〜７において、同一または同等部分には同一符号を付けて示す。
【実施例１】
【００１７】
図１は、本発明に係る扉装置の一実施例を示す正面図である。扉装置１は、一対の縦枠３、４およびこの一対の縦枠３、４の上部または上端側に設けられる上枠７で形成される三方枠と、この三方枠の開口部に設けられる扉１４とを備える。
【００１８】
扉１４は、その幅方向１９の右側（一側）の下部および上部において、それぞれ下側ピボットヒンジ（ピン支承手段）２１および上側ピボットヒンジ（ピン支承手段）３５によって支持される。下側ピボットヒンジ２１および上側ピボットヒンジ３５は、扉１４を水平面内で回転可能なように取り付けられる。扉１４の左側（他側）寄り中間高さ位置には取手５３が設けられる。
【００１９】
縦枠３、４、上枠７および扉１４は、たとえば合板、木質繊維板（ＭＤＦなど）、木削片板、単板積層板などの木質系基材で形成され、基材の表面に化粧材が設けられる。化粧材は、可撓性を有する材料が選定され、基材を形成する木質系材料の少なくとも露出面に設けられる。化粧材の材料としては、たとえば天然木材を切削して得られる天然突板や表面に各種模様を印刷した合成樹脂シートなどが使用される。
【００２０】
床５９を形成する床板についても木質系材料が使用され、合板、木質繊維板（ＭＤＦなど）、木削片板、単板積層板などである。床板の表面には化粧材が設けられるが、先に挙げた化粧材と同じ材質のものが使用されても良い。
【００２１】
図２は、図１におけるａ−ａ線断面図である。左右縦枠３、４および図示していない上枠７の幅方向中央には戸当り１０が設けられ、扉１４が閉じられた状態で扉１４は戸当りに当接する。左側の戸当り１０および上枠の戸当り１０には合成ゴムなどの軟質材で形成された緩衝片１２が設けられる。緩衝片１２は、扉１４が閉じられた際に、その衝撃と衝撃音を小さくする。
【００２２】
図３は、図１におけるｂ−ｂ線断面図である。下側ピボットヒンジ２１は、扉の下木口１５に取り付けられる扉下側ユニット２２および床５９に取り付けられる床側ユニット２７を有する。上側ピボットヒンジ３５は、扉の上木口１６に取り付けられる扉上側ユニット３７および上枠７に取り付けられる上枠側ユニット４７を有する。なお、符号５７は床見切りを表す。
【００２３】
さらに、この扉装置１は、扉の下木口１５に固定する扉下側ユニット２２と扉の下木口１５との間にスペーサ５４を挟むとともに、縦枠３（および縦枠４）の長さをスペーサ５４の厚み寸法分だけ長く形成し、扉の下端１７と床見切り５７との間に通気のための隙間６１を設けている。
【００２４】
スペーサ５４の厚みｔは、たとえば４ｍｍ程度とされ、扉の下端１７と床見切り５７との間の垂直距離は少なくとも１０ｍｍ以上とする。扉装置全体としては、扉１４と三方枠との間の隙間の開口面積も含めて、１００〜１５０ｃｍ２の有効開口面積が形成されるようにする。三方枠の縦枠３、４の長さは、扉装置に通気性を考慮しない場合の長さに、スペーサの厚みｔに相当の寸法を加えた長さとする。なお、図１〜３において、符号５は、ケーシングを取り付けるための溝である。
【００２５】
図４は、図１〜３に示した扉装置の扉下側ユニット２２を示す斜視図である。扉下側ユニット２２は、扉１４の下木口１５に対してスペーサ５４を介して３本のねじ２５により固定される。
【００２６】
図５は、図４に示したスペーサ５４の正面図である。スペーサ５４は、正面形状が略矩形で三つの角が円弧状に形成されている。さらに、スペーサ５４には、三つの孔が設けられ、このうち両端寄りの二つの孔５５は、中央の孔５６より大きく形成される。二つの孔５５の大きさが中央の孔５６の大きさより大きく形成されることにより、スペーサ５４の位置決めが容易になる。
【００２７】
図６は、図３における扉装置下部を示し、（Ａ）は要部拡大図、（Ｂ）は（Ａ）のｃ−ｃ線断面図である。先に説明したように、下側ピボットヒンジ２１は、扉下側ユニット２２および床側ユニット２７を有する。扉下側ユニット２２は、板状のフランジ部２４と、このフランジ部２４の側面に延在するブロック部２５とを有する。フランジ部２４は、先のスペーサ５４と略同形状の正面矩形状で三つの角が円弧状に形成されている。
【００２８】
さらに、フランジ部２４には、三つの孔２４ａが設けられており、扉側ユニット２２は、この三つの孔２４ａを利用してねじ２６により固定される。さらに、ブロック部の側面２５ｂは扉の表面に接触し、扉下側ユニット２２は、ねじ２６による固定とともに扉に確実に固定される。ブロック部の下面２５ａには穴２３が設けられ、この穴２３には下記の床側ユニットのピン部２９が挿入される。
【００２９】
床側ユニット２７は、円筒形のピン部２９と、この下部に設けられた環状の座３１とを有する。床側ユニット２７は、ピン部２９の貫通孔３２を利用してねじ３３により床５９に固定される。したがって、ブロック部の下面２５ａに設けられた穴２３に上記ピン部２９が挿入され、穴２３の底とピン部の上端３０とが当接することにより、扉下側ユニット２２は床側ユニットのピン部上端３０に載置され、扉１４はピン支承される。
【００３０】
図７は、図３における扉装置上部を示し、（Ａ）は要部拡大図、（Ｂ）は（Ａ）のｄ−ｄ線断面図である。先に説明したように、上側ピボットヒンジ３５は、扉上側ユニット３７および上枠側ユニット４７を有する。扉上側ユニット３７は、板状のフランジ部３８と、このフランジ部３８の側面に延在するブロック部３９とを有する。
【００３１】
フランジ部３８は、先の扉下側ユニット２２と同形状の正面矩形状で三つの角が円弧状に形成されている。さらに、フランジ部３８には、三つの孔３８ａが設けられる。ブロック部３７には貫通孔４０が設けられる。ブロック部の貫通孔４０には、ピンロッド４２が挿入される。
【００３２】
さらに、ピンロッド４２にはコイルばね４４が挿入される。ピンロッド４２は、コイルばね４４により常に上方に付勢されている。ブロック部の側面３７ｂは扉の表面に接触し、扉上側ユニット３７は、ねじ４５による固定とともに扉に確実に固定される。
【００３３】
上枠側ユニット４７は、上枠７にねじ５１で固定される板状のフランジ部４８と、この側面に延在するブロック部４９とを有する。ブロック部４９には、貫通孔５０が形成される。この貫通孔５０には扉上側ユニット３７に設けられたピンロッド４２の先端側が挿入される。ピンロッド４２の先端側が上枠側ユニットの貫通孔５０に挿入されることにより、扉１４は転倒を阻止されるとともに水平面内で回転可能にピン支承される。
【００３４】
さらに、上枠側ユニット４７は、ブロック部の側面４９ａが上枠の木口に接触し、上枠側ユニット４７は、ねじ５１による固定とともに上枠７に確実に固定される。ピンロッド４２の基端側にはつまみ４３が設けられ、このつまみ４３を下方に引くことによりピンロッド４２の先端側が上枠側ユニットの貫通孔５０から外れるので、扉１４を三方枠から外すことができる。
【００３５】
以上の構造を有する本実施例の扉装置１の作用について図１を使用して説明する。扉１４の高さを変えないとすれば、扉下側ユニット２２と扉の下木口１５との間にスペーサ５４を挟むことにより、スペーサ５４の厚みｔに相当する寸法分だけ、たとえば４ｍｍだけ扉の下端１７が高くなる。扉の下端１７が高くなると、扉の下端１７と床見切り５７の上面との間の間隙６１が１０ｍｍ以上となる。
【００３６】
間隙６１が１０ｍｍ以上になると、扉と三方枠との間の開口面積および間隙６１による開口面積の両方により、扉装置全体として１００〜１５０ｃｍ２の有効開口面積が形成されるので、この扉装置１に通気性が付与される。したがって、扉およびピボットヒンジの大きさを変えずに簡便に通気性を与えることができ、扉装置の用途を広げることができる。
【００３７】
なお、上記実施例においては、スペーサ５４を挟まない状態において、扉１４の上端と上枠７の下面との間に十分な距離がなく、スペーサ５４を挟んで扉１４の高さを大きくすると、扉１４の上端が上枠７の下面に当るので、三方枠の縦枠３、４の長さをスペーサ５４の厚みに相当の寸法分だけ長くするものである。
【００３８】
これに対して、上記スペーサ５４を挟まない状態において、扉１４の上端と三方枠の上枠７の下面との間に十分な距離があり、上枠７に取り付けられた戸当り１０の下面と上枠７の下面との寸法が十分に大きい場合には、スペーサ５４を挟んで扉１４の高さを高くしても、扉１４の上部角は常に戸当り１０に接触し、かつ扉１４の上端は上枠７の下面に当ることがないので縦枠３、４の長さをスペーサ５４の厚さに相当する寸法分だけ長くすることなしに対応できる。
【００３９】
このように、扉１４の上端と上枠７の下面との間に距離をとり、かつ上枠７に取り付けられた戸当り１０の下面と上枠７の下面との寸法がスペーサ５４の厚み寸法に比べ十分に大きくなるように形成することにより、スペーサ５４の無い場合（通気性を考慮しない場合）と、スペーサ５４の有る場合（通気性を考慮する場合）との両方に対応できる。
【００４０】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００４１】
本発明の扉装置は、集合住宅や個別住宅の部屋同士の間の扉装置あるいは事務所、理髪店、美容院などの室同士の間の扉装置として利用可能である。
【図面の簡単な説明】
【００４２】
【図１】本発明に係る扉装置の一実施例を示す正面図である。
【図２】図１におけるａ−ａ線断面図である。
【図３】図１におけるｂ−ｂ線断面図である。
【図４】図１〜３に示した扉装置の扉下側ユニットを示す斜視図である。
【図５】図４に示したスペーサの正面図である。
【図６】図３における扉装置下部を示し、（Ａ）は要部拡大図、（Ｂ）は（Ａ）のｃ−ｃ線断面図である。
【図７】図３における扉装置上部を示し、（Ａ）は要部拡大図、（Ｂ）は（Ａ）のｄ−ｄ線断面図である。
【符号の説明】
【００４３】
１  扉装置
３、４  縦枠
７  上枠
１４  扉
１５  下木口
１６  上木口
１７  下端
２１  下側ピボットヒンジ（ピン支承手段）
２２  扉下側ユニット
２７  床側ユニット
３５  上側ピボットヒンジ（ピン支承手段）
３７  扉上側ユニット
４７  上枠側ユニット
５４  スペーサ
５７  床見切り
５９  床
６１  隙間
ｔ  スペーサの厚み
【図１】
2005139626.tif 000003
【図２】
2005139626.tif 000004
【図３】
2005139626.tif 000005
【図４】
2005139626.tif 000006
【図５】
2005139626.tif 000007
【図６】
2005139626.tif 000008
【図７】
2005139626.tif 000009